(57)【要約】      （修正有）【課題】試供品の準備が不要であることにより、コストの削減が可能であるとともに、製品に付与された香料を開封せずに試供できる封緘シール及び封緘シール付きウェットシート包装体を提供する。【解決手段】香料を含む香り付き製品の包装体の蓋部材の表面に貼り付ける封緘シール１であって、香料を含有する芳香発散層１１と、基材層１２と、基材層１２の裏面に設けた粘着剤層１３とを有する封緘シール１を提供する。芳香発散層１１は、マイクロカプセル１４に封入され、摩擦や熱によって香料を発散することが可能であり、ウェットシート包装体のような、香り付き製品の香りを試供できる。【選択図】図１
2015125216.tif 000002
【特許請求の範囲】
【請求項１】
香料を含有する芳香発散層と、
基材層と、
粘着剤層と、を順に備えることを特徴とする封緘シール。
【請求項２】
前記芳香発散層は、香料を封入するマイクロカプセルを含有することを特徴とする請求項１に記載の封緘シール。
【請求項３】
前記マイクロカプセルが３０μｍ以下の平均粒径を有し、
前記平均粒径に対して１０％以上１５％以下の厚さを有する壁膜と、
前記平均粒径に対して８５％以上９０％以下の厚さを有する芯物質と、を備えることを特徴とする請求項１または２に記載の封緘シール。
【請求項４】
さらに、前記芳香発散層の上に、保護層を備えることを特徴とする請求項１ないし３のいずれか１項に記載の封緘シール。
【請求項５】
平行する複数の開封線を開封方向に沿って形成することを特徴とする請求項１ないし４のいずれか１項に記載の封緘シール。
【請求項６】
前記開封線は、平行する３本のハーフカット線または平行する３本のミシン目線であることを特徴とする請求項５に記載の封緘シール。
【請求項７】
ウェットシート包装体であって、
ウェットシートを収納する包装袋と、
前記包装袋の上面に設けた開口部と、
前記開口部を覆い着脱自在な蓋部材と、を備え、
請求項１ないし６のいずれか１項に記載の封緘シールが前記蓋部材を封緘することを特徴とするウェットシート包装体。
【発明の詳細な説明】
【技術分野】
【０００１】
本発明は、封緘シール及び封緘シール付きウェットシート包装体に関する。
【背景技術】
【０００２】
従来、洗剤、石けん、化粧品等には、高級感等の付加価値を与えるために、様々な種類の香料を含有させることが多い。また、昨今では、快適性と便利性への要求の高まりを反映して、使い捨ての除菌用ウェットティッシュー、清掃用シート、お尻拭きシート、ペット用ウェットティシューといった湿潤式のシートについても香料を含有している（特許文献１及び特許文献２参照）。
【０００３】
香り付きの製品は、包装容器に納められ、密封した状態で販売されることが一般的である。湿潤式のシートの場合、金属アルミニウムを蒸着被覆したプラスチックフィルム等からなる包装容器に収容したあと、取出口からシートを含浸している液体が漏れださないようにするため、また、包装容器の流通過程及び店頭での不正な開封を防止して、品質を保証するため、開封状態が分かるような封緘シールを蓋材に貼っている（特許文献３、図１０参照）。
【先行技術文献】
【特許文献】
【０００４】
【特許文献１】特開２００３−０７９５３０号公報
【特許文献２】特開２００４−３５７８７７号公報
【特許文献３】特開平０９−２１６６７２号公報
【発明の概要】
【発明が解決しようとする課題】
【０００５】
消費者は、香り付き製品に含有されている香料を購入前に開封して知ることができないため、香り付き製品の香料を試供する方法としては、例えば、製品と同じ香料を入れたボトルや、製品のミニサイズのサンプルといった香料試供品を製品の前に置く方法を採用していた。このような香りの試供方法では、設置スペースが必要であることやコストの上昇といった問題が生じ、より簡素で経済的な方法が望まれていた。
【０００６】
そこで、本発明はこのような事情に鑑みてなされたものであり、その目的は、試供品の準備が不要であることにより、コストの削減が可能であるとともに、製品に付与された香料を開封せずに試供できる封緘シールを提供することである。
【課題を解決するための手段】
【０００７】
上記課題を解決するために、本発明は、以下の構成によって把握される。
（１）本発明に係る１つの態様は、香料を含有する芳香発散層と、基材層と、粘着剤層と、を順に備える封緘シールを提供する。
【０００８】
（２）芳香発散層は、上記（１）に記載の封緘シールにおいて、香料を封入するマイクロカプセルを含有してもよい。
【０００９】
（３）マイクロカプセルは、上記（２）に記載の封緘シールにおいて、３０μｍ以下の平均粒径を有し、平均粒径に対して１０％以上１５％以下の厚さを有する壁膜と、平均粒径に対して８５％以上９０％以下の厚さを有する芯物質と、を備えてもよい。
【００１０】
（４）さらに、上記（１）ないし（３）のいずれかに記載の封緘シールにおいて、芳香発散層の上に保護層を備えてもよい。
【００１１】
（５）さらに、上記（１）ないし（３）のいずれかに記載の封緘シールにおいて、平行する複数の開封線を開封方向に沿って形成してもよい。
【００１２】
（６）開封線は、上記（５）に記載の封緘シールにおいて、平行する３本のハーフカット線または平行する３本のミシン目線であってもよい。
【００１３】
（７）本発明に係る１つの態様は、ウェットシート包装体であって、ウェットシートを収納する包装袋と、包装袋の上面に設けた開口部と、開口部を覆い着脱自在な蓋部材と、を備え、上記（１）ないし（３）のいずれかに記載の封緘シールが蓋部材を封緘するウェットシート包装体を提供する。
【発明の効果】
【００１４】
本発明によれば、試供品の準備が不要であることにより、コストの削減が可能であるとともに、製品に付与された香料を開封せずに試供できる封緘シールを提供することができる。
【図面の簡単な説明】
【００１５】
【図１】（ａ）本発明の封緘シールの一つの実施形態の層構成を示す断面図である。（ｂ）本発明の封緘シールの別の実施形態の層構成を示す断面図である。
【図２】本発明の封緘シールの一つの実施形態を示す概略表面図である。
【図３】発明の封緘シールの一例である。
【図４】本発明の封緘シールを貼ったウェットシート包装体の一例の概略図である。
【発明を実施するための形態】
【００１６】
（実施形態）
以下、本発明を実施するための形態（以下、実施形態という。）について詳細に説明する。
【００１７】
図１（ａ）及び（ｂ）は、本発明の封緘シールの実施形態の層構成を示す断面図である。図１（ａ）に示すように、封緘シール１は、基材層１２と、基材層１２の上面に設けられ、香料を含有する芳香発散層１１と、基材層１２の裏面に設けられた粘着剤層１３とにより構成されている。芳香発散層１１では、香料をマイクロカプセル１４に封入してもよい。また、図１（ｂ）に示すように、芳香発散層１１の上面に保護層１５を設けたり、印刷層１６を設けたりしてもよい。図１（ａ）及び（ｂ）に例示したものに限らず、基材層１２と芳香発散層１１との間に基材層１２と芳香発散層１１を接着させる、接着剤層（図示せず）を設けることや、あるいは、他の層を適宜設けることも可能である。以下、本発明の封緘シール１を構成する各層について、詳細に説明する。
【００１８】
（芳香発散層）
芳香発散層１１は、基材層１２の上面に設けられている。芳香発散層１１には、封緘シール１を貼り付けた香り付き製品に付与された香料と同じ香料を含有している。芳香発散層１１に含有する香料は、特に限定されず、例えば、カーネーション、ラベンダー、キンモクセイ、クチナシ、バラ、ジャスミン等の花系、カモミール、シナモン、ローズマリー等のハーブ系、オレンジ、レモン、チェリー等の果物系、ヒノキ、松、モミの木等の森林系等から一種又は数種を選んで用いることができる。
【００１９】
芳香発散層１１は、運送時には香り付き製品の内包する香りを保ち、香料を試供するときに香料を効率的に発散させる効果を得られることから、香料を封入したマイクロカプセル１４を含有することが好ましい。試供したい消費者は、芳香発散層１１の表面を擦る等して、香料を有するマイクロカプセル１４が破壊され、香りが発生する。
【００２０】
芳香発散層１１におけるマイクロカプセル１４に封入した香料は、揮散して香りを発する化合物である香料を、従来公知のマイクロカプセルの製造方法を適宜選択することができ、例えば、コアセルベーション法、インサイチュ法や、界面重合法等を用いることができる。
【００２１】
マイクロカプセル１４の壁材の種類は、特に限定されない。芳香成分によって異なるが、一般的には、ゼラチン、アラビアゴム、ポリビニルアルコール、エチルセルロース、カルボキシメチルセルロース、ポリウレタン、アルギン酸ナトリウム、尿素・ホルムアルデヒド樹脂、メラミン・ホルムアルデヒド樹脂等のカプセル化できる材料であれば利用できる。また、マイクロカプセル１４の構造も特に限定されず、例えば、単純単核のものを例示することができる。さらに、マイクロカプセル１４の平均粒径も特に限定されず、例えば、５μｍ以上３０μｍ以下、好ましくは１２μｍ以上２０μｍ以下とすることができる。マイクロカプセル１４の平均粒径が５μｍ未満であると、必要かつ十分な香料を含ませることができなくなる。他方、マイクロカプセル１４の平均粒径が３０μｍを超えると、塗布液中における混合時や乾燥時などにおいて、マイクロカプセル１４の壁材が壊れて、香料が流出してしまうおそれがある。
【００２２】
マイクロカプセル１４の壁膜は、平均粒径に対して１０％以上１５％以下の厚さを有し、芯物質は、平均粒径に対して８５％以上９０％以下の厚さを有する芯物質であることが好ましい。ただし、壁膜が薄すぎると、塗布液中における混合時や乾燥時などにおいて、マイクロカプセル１４の壁材が壊れて、香料が流出してしまうおそれがある。他方、壁膜が厚すぎると、壁材が壊れにくくなり、擦っても十分な香りが出ないので、試供ができなくなってしまうおそれがある。
【００２３】
また、マイクロカプセル１４の芯物質の質量比は、香り（昇華性）の強弱に合わせて調整することができるが、マイクロカプセル１４の質量あたり８５質量％以上９０質量％以下とすることが好ましく、７５質量％以上８５質量％以下がさらに好ましい。
【００２４】
芳香発散層１１は、マイクロカプセル１４に封入した香料成分と、インク、有機溶剤等の溶媒成分を配合調整した塗工液を、オフセット印刷、シルクスクリーン印刷、グラビア印刷、フレキソ印刷等の公知の印刷方法によって形成等の方法により、基材層１２の上面に、乾燥状態で塗布量が２ｇ／ｍ2以上２０ｇ／ｍ2以下で形成することが好ましい。また、互いに異なる香料を含有するマイクロカプセル１４を使用した２種以上の塗工液を用意して、基材層１２の異なる領域に、区分けして印刷することもできる。さらに、香料を含有しない印刷層１６を、基材層１２の上面の芳香発散層１１と異なる領域に印刷することや、図１（ｂ）に示すように、芳香発散層１１と基材層１２との間に形成することもできる。印刷は、封緘シール１の表面に色や絵柄を表示することにより、封緘シール１の存在を消費者に明示することができる。包装または図３に示すように、封緘シール１に「こすると香ります」といった説明文等を、表示することにより、封緘シール１が芳香を発散することを消費者に明示することができる。芳香発散層１１の印刷あるいは印刷層１６の形成により、外力が加えられると封緘シール１が歪み等によって外観が変化するため、不正行為等の痕跡となり、またその視認性を高める機能を有する。
【００２５】
また、芳香発散層１１の厚さは、芳香発散層１１の塗工又は印刷時にマイクロカプセル１４を破壊しない等の観点から、５μｍ以上４０μｍ以下が好ましい。
【００２６】
図１（ｂ）に示すように、取扱い上の擦れ等から芳香発散層１１を保護する観点から、芳香発散層１１の上面に、保護層１５を設けることが好ましい。保護層１５は、例えば、剥離可能なフィルムを芳香発散層１１の上に積層したり、樹脂成分を芳香発散層１１の上に塗工したりすることにより形成することができる。
【００２７】
剥離可能な保護層１５の基材としては、例えば、セロハン、ポリエステル、ポリエチレン、ポリプロピレン、ポリ塩化ビニル、ポリアミド等の樹脂フィルム、コンデンサー紙やパラフィン紙等の紙等があり、また、これらのいずれかを複合したものであってもよい。
【００２８】
保護層１５を形成する樹脂成分としては、ウレタン樹脂、ポリエチレン樹脂、ポリスチレン樹脂、アクリル樹脂、スチレン−ブタジエン系ブロックコポリマー、メラミン樹脂、エポキシ樹脂等を適宜用いることができる。また、顔料や染料、ラメ等を含有してもよい。保護層１５の形成方法は、例えば、樹脂成分と、溶媒等の添加剤を配合調整した塗工液を、従来公知のグラビアダイレクトコート、グラビアリバースコート、ナイフコート、エアコート、ロールコート等の方法により、２ｇ／ｍ２以上１０ｇ／ｍ２以下の乾燥状態の塗布量で、形成することができる。
【００２９】
（基材層）
基材層１２は、搬送、展示、取扱い等で破損せず、封緘する対象物に貼り付け、その貼り付けられた封緘シール１を剥離し、また破断して開封する取扱い上、支障がない程度の機械的強度を有するものであればよく、このような基材シートとしては、アート紙や上質紙等の紙、合成紙、不織布、樹脂シート等、一般に封緘シールに用いられる基材シートを、特に制約なく用いることができる。また、基材層１２の厚さは、その強度及び柔軟性が適切になるように材料に応じて、適宜変更することができるが、２０μｍ以上１５０μｍ以下が好ましい。
【００３０】
（粘着剤層）
粘着剤層１３は、封緘シール１を封緘対象である前記香料を含む香り付き製品の開閉部の表面に貼り付ける機能を果たすものである。粘着剤層１３の材料としては、アクリル系粘着剤、ポリエステル系粘着剤、ウレタン系粘着剤等の公知の各種粘着剤等の通常の接着剤を、特に制約なく使用することができる。
【００３１】
図２は本発明にかかる封緘シールの一つの実施形態を示す概略表面図である。本発明の封緘シールは、開封方向に沿って、封緘シール１の中央部に開封線１７を形成している。封緘シール１には、開封を容易にし、同時に、開封したことを明示しやすくする観点から、平行する複数の開封線１４を開封方向に沿って形成することが好ましい。また、開封線１４を３本ないし７本形成することが好ましく、開封線１４を、平行する３本のハーフカット線または平行する３本のミシン目線で形成することにより、開封方向と角度がずれて封緘シール１を香り付き製品に貼り付けたとしても、いずれかの開封線１４が作用して、開封時に容易に封緘シール１を破ることができる。
【００３２】
開封線１４どうしは、０．５ｍｍ以上２．０ｍｍ以下の間隔で形成し、ミシン目線の場合、ピッチをカット部１．０ｍｍ以上５．０ｍｍ以下、非カット部０．２ｍｍ以上１．０ｍｍ以下とすることが開封性の観点から好ましい。
【００３３】
封緘シール１の形状としては、円形、楕円、多角形、星模様、花模様、葉模様等があげられる。また、封緘シール１の大きさは、封緘する包装容器の開封部分の大きさや、表示する文字等に合わせて、適宜設定することができる。
【００３４】
図４に示すように、封緘シール１は、ウェットシート包装体２の蓋部材２３の表面に貼り付けることで、ウェットシートに含浸された香料を試供することができるものである。ウェットシート包装体２は、ウェットシートを収納する包装袋２１と、包装袋２１の上面に設けた開口部２２と、開口部２２を覆い着脱自在な蓋部材２３とを備えており、蓋部材２３と包装袋２１の表面を跨ぐように封緘シール１を貼り付け、封緘している。
【００３５】
ウェットシートは、例えば、化粧落としウェットシート、除菌用ウェットティシュー、手拭用ウェットティシュー、お尻拭きシート、掃除用ウェットシート、ペット用ウェットシート等があげられる。
【００３６】
この封緘シール１により、香料の試供が容易となり、多種類の香料を含浸したウェットシートを流通させることができる。また、開封したときに、封緘シール１が破断して、香料が空気中に発散され、芳香性が増すこととなる。
【符号の説明】
【００３７】
１      封緘シール
１１    芳香発散層
１２    基材層
１３    粘着剤層
１４    マイクロカプセル
１５    保護層
１６    印刷層
１７    開封線
２      ウェットシート包装体
２１    包装袋
２２    開口部
２３    蓋部材
【図１】
2015125216.tif 000003
【図２】
2015125216.tif 000004
【図３】
2015125216.tif 000005
【図４】
2015125216.tif 000006